(57)【特許請求の範囲】
【請求項１】
光ディスクの螺旋状の記憶領域に記録された所定情報を再生する光ディスク装置において、
光ディスクを所定回転数で回転し、レーザビームを照射しこの反射波の波形パタンに対応して再生信号を検出する再生信号検出部と、
前記再生信号検出部が検出した再生信号について、第１のオフセット値によりオフセットを行う第１オフセット部と、
前記第１オフセット部によりオフセットされた再生信号に基づいて、前記再生信号をＡ／Ｄ変換してデジタル再生信号を出力するＡ／Ｄ変換部と、
復号データを受け、これに基づきＰＲ特性を満たす理想信号を生成する理想信号生成部と、
前記Ａ／Ｄ変換部から受けた前記デジタル再生信号と、前記理想信号生成部から受けた理想信号との差分を求める差分器と、
前記差分器が求めた差分を一定期間記憶領域に記憶し、記憶された差分値の平均値を第２オフセット値として求める平均化部と、
前記Ａ／Ｄ変換部からの前記デジタル再生信号から、前記平均化部の前記第２オフセット値を差し引くことによりオフセットを行う第２オフセット部と、
前記第２オフセット部によりオフセットが行われた前記デジタル再生信号を、最尤復号器を用いて復号することで、前記所定情報に応じた二値の復号データとして再生して出力し、又、この復号データを前記理想信号生成部に供給する最尤復号部と、
を具備することを特徴とする光ディスク装置。
【請求項２】
光ディスクの螺旋状の記憶領域に記録された所定情報を再生する光ディスク装置において、
光ディスクを所定回転数で回転し、レーザビームを照射しこの反射波の波形パタンに対応して再生信号を検出する再生信号検出部と、
前記再生信号検出部が検出した再生信号について、第１のオフセット値によりオフセットを行う第１オフセット部と、
前記第１オフセット部によりオフセットされた再生信号に基づいて、前記再生信号をＡ／Ｄ変換してデジタル再生信号を出力するＡ／Ｄ変換部と、
復号データを受け、これに基づきＰＲ特性を満たす理想信号を生成する理想信号生成部と、
前記Ａ／Ｄ変換部から受けた前記デジタル再生信号と、前記理想信号生成部から受けた理想信号との差分を求める差分器と、
前記理想信号生成部から受けた理想信号と、所定基準値とを比較し、一致した時だけ、前記差分器の差分を出力するセレクタ部と、
前記セレクタ部から供給される前記差分を一定期間記憶領域に記憶し、記憶された差分の平均値を第２オフセット値として求める平均化部と、
前記Ａ／Ｄ変換部からの前記デジタル再生信号から、前記平均化部の前記第２オフセット値を差し引くことによりオフセットを行う第２オフセット部と、
前記第２オフセット部によりオフセットが行われた前記デジタル再生信号を、最尤復号器を用いて復号することで、前記所定情報に応じた二値の復号データとして再生して出力し、又、この復号データを前記理想信号生成部に供給する最尤復号部と、
を具備することを特徴とする光ディスク装置。
【請求項３】
前記セレクタ部における前記所定基準値は、前記再生信号の振幅値のヒストグラム分布を求めた際の、最も頻度の高い山の左右に配置する頻度の山の一方の振幅値であることを特徴とする請求項２記載の光ディスク装置。
【請求項４】
光ディスクの螺旋状の記憶領域に記録された所定情報を再生する光ディスク再生方法であって、
光ディスクを所定回転数で回転し、レーザビームを照射しこの反射波の波形パタンに対応して再生信号を検出し、
前記検出した再生信号について、第１のオフセット値によりオフセットを行い、
前記オフセットされた再生信号に基づいて、前記再生信号をＡ／Ｄ変換してデジタル再生信号を出力し、
復号データを受け、これに基づきＰＲ特性を満たす理想信号を生成し、
前記変換されたデジタル再生信号と、前記理想信号との差分を求め、
前記求められた差分を一定期間記憶領域に記憶し、記憶された差分の平均値を第２オフセット値として求め、
前記変換されたデジタル再生信号から、前記第２オフセット値を差し引くことによりオフセットを行い、
前記オフセットが行われた前記デジタル再生信号を、最尤復号器を用いて復号することで、前記所定情報に応じた二値の復号データとして再生して出力し、又、この復号データを前記理想信号の生成へと供給することを特徴とする光ディスク再生方法。
【請求項５】
光ディスクの螺旋状の記憶領域に記録された所定情報を再生する光ディスク再生方法であって、
光ディスクを所定回転数で回転し、レーザビームを照射しこの反射波の波形パタンに対応して再生信号を検出し、
前記検出した再生信号について、第１のオフセット値によりオフセットを行い、
前記オフセットされた再生信号に基づいて、前記再生信号をＡ／Ｄ変換してデジタル再生信号を出力し、
復号データを受け、これに基づきＰＲ特性を満たす理想信号を生成し、
前記変換されたデジタル再生信号と、前記理想信号との差分を求め、
前記生成された理想信号と、所定基準値とを比較し、一致した時だけ、前記求められた差分を選択的に出力し、
前記選択的に出力された差分を一定期間記憶領域に記憶し、記憶された差分の平均値を第２オフセット値として求め、
前記変換されたデジタル再生信号から、前記第２オフセット値を差し引くことによりオフセットを行い、
前記オフセットが行われた前記デジタル再生信号を、最尤復号器を用いて復号することで、前記所定情報に応じた二値の復号データとして再生して出力し、又、この復号データを前記理想信号の生成へと供給することを特徴とする光ディスク再生方法。
【請求項６】
前記所定基準値は、前記再生信号の振幅値のヒストグラム分布を求めた際の、最も頻度の高い山の左右に配置する頻度の山の一方の振幅値であることを特徴とする請求項５記載の光ディスク再生方法。
【発明の詳細な説明】
【０００１】
【発明の属する技術分野】
この発明は、ＰＲＭＬ方式を用いた光ディスク装置に関し、特に最尤復号のオフセット処理を行うＰＲＭＬ方式光ディスク装置に関するものである。
【０００２】
【従来の技術】
最近、ＤＶＤ（Ｄｉｇｉｔａｌ  Ｖｅｒｓａｔｉｌｅ  Ｄｉｓｃ）等の光ディスクに対する記録再生処理を行う光ディスク装置が広く普及してきており、様々な方式での開発が行われ製品化されている。例えば、光ディスク装置の記録再生処理の方式として、ＰＲＭＬ（Ｐａｒｔｉａｌ  Ｒｅｓｐｏｎｓｅ  ａｎｄ  Ｍａｘｉｍｕｍ  Ｌｉｋｅｌｉｈｏｏｄ）方式があり、図１４はこの方式を用いた光ディスク装置の一般的構成を示している。
【０００３】
図８に、電子情報通信学会技術研究報告、ＭＲ９５−７４，ｐｐ．４５−５０（１９９５−１２）に開示される、ＰＲＭＬ方式を採用した光ディスク装置の一般的な構成を示す。この装置において、光ディスクに記録された情報は、ＰＵＨ（Ｐｉｃｋ  Ｕｐ  Ｈｅａｄ）を用いて微弱なアナログ信号として再生される。アナログ信号はプリアンプで増幅され十分な信号レベルとなった後、オフセット制御器で再生信号のオフセットが調整される。オフセット調整後の再生信号は、ＡＤＣ回路（Ａｎａｌｏｇ  ｔｏ  Ｄｉｇｉｔａｌ  Ｃｏｎｖｅｒｔｅｒ）とＰＬＬ（Ｐｈａｓｅ  Ｌｏｃｋ  Ｌｏｏｐ）へと送られる。ＰＬＬでは、再生信号がゼロレベルを交差するタイミングからクロックを生成し、生成したクロックをＡＤＣ回路へと送る。ＡＤＣ回路では、再生信号をＰＬＬからのクロックでサンプリングし、デジタル信号へ変換する。デジタル化された再生信号から、ビタビ復号器で二値の復号データを得るものである。
【０００４】
このような構造の光ディスク装置においては、再生信号に非対称性成分であるアシンメトリ（ａｓｙｍｍｅｔｒｙ）（非対称性成分）が多く含まれる場合、ＰＬＬ回路の性能が十分発揮できるようにオフセット値を決定して付加した場合、ビタビ復号器の性能が十分発揮できなくなる。逆に、ビタビ復号器の性能が十分発揮できるようにオフセット値を決定して付加した場合、ＰＬＬ回路の性能が十分発揮できなくなる。
【０００５】
又、再生信号にアシンメトリ（非対称性成分）が多い場合でも十分な識別性能を得る方式として電子情報通信学会技術研究報告、ＭＲ９５−７４，ｐｐ．４５−５０（１９９５−１２）記載の方式においては、ビタビ復号器の参照レベルを適応制御する方式が示されている。図１４及び図１５はこの構造を示しており、この場合、ＰＲ（１，２，２，１）特性では、識別点信号レベルは図１６に示すように、７レベルＬ０〜Ｌ６に分布し、参照レベル制御器３１により各レベル毎に平均レベルを求めて、これらの平均レベルをビタビ復号器の参照レベルとして使用するものである。
【０００６】
【発明が解決しようとする課題】
すなわち、再生信号にアシンメトリ（非対称性成分）が多く含まれる場合、ＰＬＬ回路の性能が十分発揮できるようにオフセット値を決定して付加した場合、ビタビ復号器の性能が十分発揮できず、逆に、ビタビ復号器の性能が十分発揮できるようにオフセット値を決定して付加した場合、ＰＬＬ回路の性能が十分発揮できなくなるという問題がある。
【０００７】
更に、全ての参照レベル、例えばＰＲ（１，２，２，１）特性では７レベルについて、平均レベルを求めビタビ復号器の参照レベルとして使用することで、アシンメトリ（非対称性成分）を解消しようとすると、回路が非常に複雑になるという問題がある。
【０００８】
本発明はこれらを鑑み、再生信号にアシンメトリ（非対称性成分）が多く含まれる場合でも、簡単なオフセット制御器を付加することで、高い識別性能が得られる光ディスク装置を提供することを目的とする。
【０００９】
【課題を解決するための手段】
本発明は、光ディスクの螺旋状の記憶領域に記録された所定情報を再生する光ディスク装置において、光ディスクを所定回転数で回転し、レーザビームを照射しこの反射波の波形パタンに対応して再生信号を検出する再生信号検出部と、前記再生信号検出部が検出した再生信号について、第１のオフセット値によりオフセットを行う第１オフセット部と、前記第１オフセット部によりオフセットされた再生信号に基づいて、前記再生信号をＡ／Ｄ変換してデジタル再生信号を出力するＡ／Ｄ変換部と、復号データを受け、これに基づきＰＲ特性を満たす理想信号を生成する理想信号生成部と、前記Ａ／Ｄ変換部から受けた前記デジタル再生信号と、前記理想信号生成部から受けた理想信号との差分を求める差分器と、前記差分器が求めた差分を一定期間記憶領域に記憶し、記憶された差分値の平均値を第２オフセット値として求める平均化部と、前記Ａ／Ｄ変換部からの前記デジタル再生信号から、前記平均化部の前記第２オフセット値を差し引くことによりオフセットを行う第２オフセット部と、前記第２オフセット部によりオフセットが行われた前記デジタル再生信号を、最尤復号器を用いて復号することで、前記所定情報に応じた二値の復号データとして再生して出力し、又、この復号データを前記理想信号生成部に供給する最尤復号部とを具備することを特徴とする光ディスク装置である。
【００１０】
又、本発明は、光ディスクの螺旋状の記憶領域に記録された所定情報を再生する光ディスク装置において、光ディスクを所定回転数で回転し、レーザビームを照射しこの反射波の波形パタンに対応して再生信号を検出する再生信号検出部と、前記再生信号検出部が検出した再生信号について、第１のオフセット値によりオフセットを行う第１オフセット部と、前記第１オフセット部によりオフセットされた再生信号に基づいて、前記再生信号をＡ／Ｄ変換してデジタル再生信号を出力するＡ／Ｄ変換部と、復号データを受け、これに基づきＰＲ特性を満たす理想信号を生成する理想信号生成部と、前記Ａ／Ｄ変換部から受けた前記デジタル再生信号と、前記理想信号生成部から受けた理想信号との差分を求める差分器と、前記理想信号生成部から受けた理想信号と、所定基準値とを比較し、一致した時だけ、前記差分器の差分を出力するセレクタ部と、前記セレクタ部から供給される前記差分を一定期間記憶領域に記憶し、記憶された差分の平均値を第２オフセット値として求める平均化部と、前記Ａ／Ｄ変換部からの前記デジタル再生信号から、前記平均化部の前記第２オフセット値を差し引くことによりオフセットを行う第２オフセット部と、前記第２オフセット部によりオフセットが行われた前記デジタル再生信号を、最尤復号器を用いて復号することで、前記所定情報に応じた二値の復号データとして再生して出力し、又、この復号データを前記理想信号生成部に供給する最尤復号部とを具備することを特徴とする光ディスク装置である。
【００１３】
【発明の実施の形態】
以下、図面を参照しながら本発明の実施の形態を詳細に説明する。
【００１４】
図１は本発明に係るＰＲＭＬ方式による光ディスク装置の一例を示すブロック図、図２は本発明に係る第１の第２オフセット制御器の一例の構成を示すブロック図、図３は本発明に係る第２の第２オフセット制御器の一例の構成を示すブロック図、図４はオフセット値を決定するための参照レベル値の例を示すグラフ、図５はオフセット対識別性能特性を示すグラフ、図６及び図７は本発明に係る他の光ディスク装置の一例を示すブロック図、図９は本発明に係るＰＲＭＬ方式を説明するための動作波形を示すグラフである。
【００１５】
＜本発明に係る光ディスク装置の構成＞
本発明に係るＰＲＭＬ方式による光ディスク装置は、図１に示すように、光ディスクＤを保持し所定回転数で回転する図示しない駆動系機構と、光ピックアップ等を備えたＰＵＨ（Ｐｉｃｋ  Ｕｐ  Ｈｅａｄ）１１と、ここからの信号を適宜増幅するプリアンプ回路１２と、プリアンプ回路１２からの再生信号に基づいて、第１のオフセット値で再生信号をオフセットする第１オフセット制御器１３とを有している。更にオフセットが行われた再生信号が供給されるＡ／Ｄコンバータ回路１４と、Ａ／Ｄコンバータ回路１４にクロックを供給するＰＬＬ回路１５とを有しており、Ａ／Ｄ変換後のデジタル再生信号を第２オフセット制御器１６に供給する。ここで、第２オフセット制御器１６は本発明の特徴的な構成であり、第１オフセット制御器１３とは異なるビタビ復号器１７に専用のオフセット値を求めオフセットを行うものである。
【００１６】
＜本発明に係る光ディスク装置の作用効果＞
上記した図１に示す本発明に係る光ディスク装置において、図９を用いて種々のＰＲ特性について説明し、更に本発明に特有のオフセット処理とビタビ復調との関係を図面を用いて説明する。
【００１７】
（ＰＲＭＬ方式）
図９の（ａ）〜（ｄ）は、それぞれ記録データ、記録波形、ピット系列、再生波形を示す。更に図９の（ｄ）の再生波形に対し、等化器でＰＲ（１，１）特性、ＰＲ（１，２，１）特性、ＰＲ（１，２，２，１）特性に基づく等化を行った場合の等化後の波形を図９の（ｅ）、（ｆ）、（ｇ）にそれぞれ示す。
【００１８】
ここで、ＰＲ（１，１）特性とは、インパルス応答が連続する２識別点に各々１：１の割合で現れる特性をいう。ＰＲ（１，２，１）特性とは、インパルス応答が連続する３識別点に各々１：２：１の割合で現れる特性をいう。更にＰＲ（１，２，２，１）特性とは、インパルス応答が連続する４識別点に各々１：２：２：１の割合で現れる特性をいう。図示しないが、他のＰＲ特性についても同様である。
【００１９】
このようにＰＲＭＬ方式は、ＰＲ（１，１）特性、ＰＲ（１，２，１）特性、ＰＲ（１，２，２，１）特性等のどれか一つの特性について行われる符号化復号化方式である。従って、記録された情報は、ＰＲ（１，２，２，１）特性で記録されていれば、ＰＲ（１，２，２，１）特性で再生し復号化することで、本来の情報を正確に再現できるものである。
【００２０】
又、図９の（ｅ）、（ｆ）、（ｇ）に示した通り、ＰＲ（１，１）特性→ＰＲ（１，２，１）特性→ＰＲ（１，２，２，１）特性の順に波形は鈍った特性になっていることが分かり、この中ではＰＲ（１，２，２，１）特性が最も高い記録密度で記録した情報に対して、解像度が高くなりノイズに強いことになる。本発明に係る実施形態においては、簡単の為、ＰＲ（１，２，２，１）特性を例にして以下に詳細に説明するが、他の特性においても同等の作用効果があることは言うまでもない。
【００２１】
又、ＰＲＭＬ方式の再生信号処理系において、検出器には、最尤復号器の代表的な一つであるビタビ復号器が一般に用いられる。ビタビ復号器は、ＰＲ（１，２，２，１）特性を満たす全ての系列の中から再生信号のサンプル系列との誤差が最も小さい系列を選択し、選択された系列に対応する復号データを出力する。ＰＲＭＬ方式では、復号処理を１つのサンプル値から行なうのではなく、複数のサンプル値から行なうため、サンプル値間で相関を持たない信号劣化成分に対する耐性が強いため、高い識別性能を得ることができる。ビタビ復号処理の詳細は、例えば、ＵＳＰ６，１４８，０４３号に詳しく述べられており、ここではその詳細は省略する。
【００２２】
（本発明の二つのオフセット処理）
次に、本発明の特徴であるオフセット処理について図面を用いて説明する。図１において、光ディスクＤには、ＲＬＬ（Ｒｕｎ−Ｌｅｎｇｔｈ  Ｌｉｍｉｔ）符号の１つである（１，７）ＲＬＬ符号を用いて符号化された情報が、ピットとして記録されているとする。また、ＰＲ特性は、ＰＲ（１，２，２，１）特性が使用されるとする。光ディスクに記録された情報は、ＰＵＨ１１を用いて微弱なアナログ信号として再生される。アナログ信号はプリアンプで増幅され十分な信号レベルとなった後、第１のオフセット制御器１３で、後述するクロック信号を最適値とするべく、再生信号のオフセットが調整される。オフセット調整後の再生信号は、ＡＤＣ回路１４とＰＬＬ回路１５へと送られる。
【００２３】
ＰＬＬ回路１５では、再生信号がゼロレベルを交差するタイミングからクロック信号を生成し、生成したクロック信号をＡＤＣ回路１４へと送る。ＡＤＣ回路１４では、再生信号をＰＬＬ回路１５からのクロック信号でサンプリングし、デジタル信号へ変換する。デジタル化された再生信号Ｓは、第２のオフセット制御器１６へ送られ、第２オフセット制御器１６でビタビ復号に適した再生信号のオフセットが調整される。第２のオフセット調整後、再生信号はビタビ復号器１７へ送られ、ビタビ復号器１７で二値の復号データを得る。
【００２４】
第１のオフセット調整の目的は、ＰＬＬ回路１５の性能を十分に発揮することであり、第２のオフセット調整の目的は、ビタビ復号器１７の性能を十分に発揮することである。再生信号のアシンメトリ（非対称性成分）が少ない場合には、ＰＬＬ回路１５が性能を十分発揮するオフセットレベルと、ビタビ復号器１７が性能を十分発揮するオフセットレベルとは、一致するため、第１のオフセット調整だけで十分である。しかし、再生信号のアシンメトリ（非対称性成分）が多い場合には、これら２つのオフセットレベルは異なる。その理由は、次の通りである。
【００２５】
一般的にＰＬＬ回路１５で位相検出するレベルは１種類であり、それは例えば、図１２の０レベル近傍である。ここで、図１０の（ａ）、（ｂ）と図１１は対称的な特性を示す振幅値を示すグラフであり、図１２の（ａ）、（ｂ）と図１２は、非対称的な特性を示す振幅値を示すグラフである。図１２では０レベル近傍でアイパターンの開口率が最大を示している。ＰＬＬ回路１５では、位相検出する１種類のレベルを再生信号が交差するタイミングから位相誤差を検出し、検出された位相誤差量を用いてクロック信号を調整している。一方、ＰＲＭＬ方式では識別点での信号レベルはＮレベルとなる（Ｎ＞２）。ビタビ復号器１７では、Ｎレベルに分布する再生信号の時間的な相関を利用して識別を行う。再生信号Ｓにアシンメトリ（非対称性成分）が多く含まれる場合には、図１３に示すようにＮレベルの分布にアンバランスが生じ、どのようにオフセットを調整してもＮレベル全ての中心が理想レベルと一致することはない。
【００２６】
このように、ＰＬＬ回路１５では、１種類のレベルのみを用いるのに対し、ビタビ復号器１７では、Ｎ種類のレベルを用いる。このことに起因して、ＰＬＬ回路１５での最適なオフセットレベルと、ビタビ復号器１７での最適なオフセットレベルは異なるのであり、各々異なるオフセットレベルでオフセットすることにより、アシンメトリ（非対称性成分）を解消することができ、ビタビ復号において高い識別精度を得ることができる。
【００２７】
ここで、ＰＬＬ回路１５における最適なオフセットレベルは、上述したように、図１２の（ｂ）のアイパターンの開口率が最大となるレベルである。一方、ビタビ復号器１７の最適なオフセットレベルは、再生信号特性によって変わる。
【００２８】
第２のオフセット制御器の具体的な構成の一例として、図２に示すオフセット制御器を説明する。図２において、理想信号生成器２２では、復号データからＰＲ（１，２，２，１）特性の理想信号Ｉを生成する。理想信号Ｉと遅延回路２１により位相調整された再生信号との差である誤差信号ｄを算出し、誤差信号ｄをメモリ２４上に一定期間蓄える。一定期間蓄えられた誤差信号ｄの平均値を計算し、誤差信号ｄの平均値をオフセット量を示すオフセット信号Ｆとして、減産期２６により再生信号Ｓから減算する。
【００２９】
更にもう一つのオフセット制御器の構成例を図３を用いて説明する。このオフセット制御器１６は、図２のオフセット制御器１６とは一部共通した構成を有しているが、図２の場合が常に誤差信号ｄを記録し蓄えるのに対して、図３の場合は、一定の場合、すなわち、理想信号Ｉが一定の値になっている時だけ、蓄積するものであることが異なる。これは、アシンメトリ（非対称性成分）を排除するべく、より適切なオフセット値を計算する方法を示すものであり、対称レベルは、図４の矢印が示すような一定の振幅値である。
【００３０】
すなわち、図３において、理想信号生成器２２では、復号データＢからＰＲ（１，２，２，１）特性の理想信号Ｉを生成する。理想信号Ｉと遅延回路２１により位相調整された再生信号との差である誤差信号ｄを算出する。理想信号Ｉは比較器２３にも送られ、比較器２３では、理想信号Ｉと対象レベルＬとが一致した場合に“ハイ”信号を出力、理想信号Ｉと対象レベルＬとが異なる場合には“ロウ”信号を出力する。セレクタ２７では、比較器２３から“ハイ”信号が送信された場合にのみ、誤差信号ｄをメモリ２４に送信する。メモリ２４で一定期間蓄えられた誤差信号ｄの平均値を計算し、誤差信号ｄの平均値をオフセット量を示すオフセット信号Ｆとして、再生信号Ｓから減算器２６により減算する。
【００３１】
ここで、対象レベルＬは、オフセット値を決定するためのサンプルを採取するのに最適と思われる復号データＢの理想信号Ｉと比較される振幅値であり、例えば図４のグラフでは矢印が示す振幅値である５番目のレベルが好適であるが、他の１〜Ｎ−１番目のレベルを選択することができる。
【００３２】
すなわち、対象レベルの選択は、再生信号Ｓの特性に依存するものである。図４は実験により識別性能が最適となるようにオフセット調整した時の識別点信号レベルのヒストグラムを示しており、図５はオフセット対識別性能特性を示している。図４に着目すると、矢印が示す中央レベルよりも１つ大きい左から五番目のレベルが理想レベルと一致するようにオフセット調整されている。これは、識別点信号レベルの中央よりも１つ大きいレベル、もしくは、中央よりも１つ小さいレベルを対象レベルとして選択したときの、ビタビ復号の識別度が高いことが経験的に判っている。
【００３３】
このように本発明に係る実施形態においては、Ａ／Ｄ変換回路に用いるクロックを正確に求めるためのオフセット値だけではなく、ビタビ復号のアシンメトリ（非対称性成分）を排除するために適切なオフセット値を求め、それぞれオフセット処理を独立して行うことにより、ビタビ復号の際のアシンメトリ（非対称性）を排除することができ、これにより高精度な識別結果を得るビタビ復号による光ディスク装置の再生処理が可能となる。
【００３４】
＜他の本発明の実施形態＞
更に本発明に係る実施形態として、図６及び図７はＰＲＭＬ方式による他の光ディスク装置の一例を示すブロック図、図１７は本発明に係るＰＲＭＬ方式による光ディスク装置の他の一例を示すブロック図である。
【００３５】
すなわち、上述した実施形態では、アナログＰＬＬ回路を使用した例を示したが、本発明は図６に示すデジタルＰＬＬ回路を使用した方式にも適用することが可能である。この場合は、変換後のデジタル信号に基づいてＰＬＬ回路１５におけるクロック信号の生成が行われる。
【００３６】
更に、本発明は図７に示す非同期サンプル方式を利用した方式にも適用できるものであり、発振器１８からのクロックによりＡ／Ｄコンバータ１４は動作しており、位相検出器２０を伴う補間フィルタ１９が更に設けられている。
【００３７】
又更に、上述した実施形態では、ＰＲ（１，２，２，１）特性、（１，７）ＲＬＬ符号の例を示したが、他のＰＲ特性、ＲＬＬ符号を使用した場合でも本発明の適用は可能であり、同等の作用効果を得ることができる。
【００３８】
又更に、上述した実施形態では、二つのオフセット回路１３、１６が本発明の実施形態として用いられているが、ビタビ復号処理のアシンメトリ（非対称性成分）を排除するためには、第１のオフセット制御器１３は必ずしも必要ではなく、図１７に示す構成のように、第１のオフセット回路１３は省略したとしても、動作上、大きな相異はなく、ビタビ復号の際の特性のアシンメトリ（非対称性成分）を排除して、高い識別性能を発揮することが可能となるものである。
【００３９】
又更に、上述した実施形態においては、光ディスク装置を例に挙げて説明しているが、本発明は必ずしも光ディスクを記録媒体とすることを必須とするものではなく、例えばハードディスクやＩＣカード等の記憶媒体であれば、同等のメカニズムで同等の作用効果を発揮するものである。
【００４０】
【発明の効果】
以上詳述したように本発明によれば、ＰＲＭＬ方式であるビタビ復号のアシンメトリ（非対称性成分）を排除するべく、専用のオフセット値を求めこれによりオフセットを行うことにより、従来以上の高い識別性能を発揮するビタビ復号を可能とするものであり、高い記録密度による光ディスク等の再生処理においても、誤識別を起こすことなく確実な再生処理を可能とする光ディスク装置を提供するものである。
【図面の簡単な説明】
【図１】本発明に係るＰＲＭＬ方式による光ディスク装置の一例を示すブロック図。
【図２】本発明に係る第１の第２オフセット制御器の一例の構成を示すブロック図。
【図３】本発明に係る第２の第２オフセット制御器の一例の構成を示すブロック図。
【図４】本発明に係る第２オフセット制御器のオフセット値を決定するための参照レベル値の例を示すグラフ。
【図５】オフセット対識別性能特性を示すグラフ。
【図６】本発明に係るＰＲＭＬ方式による他の光ディスク装置の一例を示すブロック図。
【図７】本発明に係るＰＲＭＬ方式による他の光ディスク装置の一例を示すブロック図。
【図８】従来のＰＲＭＬ方式による光ディスク装置の一例を示すブロック図。
【図９】本発明に係るＰＲＭＬ方式を説明するための動作波形図。
【図１０】ＰＲＭＬ方式による光ディスク装置におけるアシンメトリ（非対称性成分）が少ない再生信号のアイパターンを示すグラフ。
【図１１】ＰＲＭＬ方式による光ディスク装置におけるアシンメトリが少ない再生信号の識別点信号レベルのヒストグラム。
【図１２】ＰＲＭＬ方式による光ディスク装置におけるアシンメトリが多い再生信号のアイパターンを示すグラフ。
【図１３】ＰＲＭＬ方式による光ディスク装置におけるアシンメトリが多い再生信号の識別点信号レベルのヒストグラム。
【図１４】適応型ビタビ復号器を用いた従来の光ディスク装置の一例を示すブロック図。
【図１５】従来の光ディスク装置に用いる参照レベル制御器の一例を示すブロック図。
【図１６】従来の光ディスク装置に用いる参照レベル制御器の参照レベルの例を示す図。
【図１７】本発明に係るＰＲＭＬ方式による光ディスク装置の他の一例を示すブロック図。
【符号の説明】
Ｄ…光ディスク、１１…ＰＵＨ
１２…プリアンプ回路、１３…第１オフセット制御器
１４…Ａ／Ｄコンバータ回路、１５…ＰＬＬ回路
１６…第２オフセット制御器、１７…ビタビ復号器
【図１】
0003572047.tif 000002
【図２】
0003572047.tif 000003
【図３】
0003572047.tif 000004
【図４】
0003572047.tif 000005
【図５】
0003572047.tif 000006
【図６】
0003572047.tif 000007
【図７】
0003572047.tif 000008
【図８】
0003572047.tif 000009
【図９】
0003572047.tif 000010
【図１０】
0003572047.tif 000011
【図１１】
0003572047.tif 000012
【図１２】
0003572047.tif 000013
【図１３】
0003572047.tif 000014
【図１４】
0003572047.tif 000015
【図１５】
0003572047.tif 000016
【図１６】
0003572047.tif 000017
【図１７】
0003572047.tif 000018